Podtech/llm-jp-corpus-v4-ja_patent huggingface dataset:
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
高電圧スイッチに関する集積信号及び電力供給送信装置であって、
供給ボードと、
メインボードと、
絶縁プレートと、
少なくとも１つの変圧器装置と、
少なくとも１つの信号送信装置とを有し、
前記絶縁プレートが、前記供給ボード及び前記メインボードの間に提供され、
前記少なくとも１つの変圧器装置は、トランジスタの駆動回路に対して電気エネルギーを供給するために提供され、前記エネルギーは続いてＸ線源に供給され、前記少なくとも１つの変圧器装置が、前記メインボードに配置されるセカンダリ電気導体において電磁気誘導をもたらすよう、前記供給ボードに配置されるプライマリ電気導体を有し、
前記少なくとも１つの信号送信装置は、前記供給ボード及び前記メインボードの間で信号を送信するよう構成され、前記少なくとも１つの信号送信装置が、前記供給ボードに提供される第１の光学信号送信デバイス及び前記メインボードに提供される第２の光学信号送信デバイスを少なくとも有し、
前記絶縁プレートは、前記第１及び第２の光学信号送信デバイスの間の少なくとも部分において光透過性であり、
前記第１及び第２の光学信号送信デバイスが、光学接続経路に配置される、装置。
【請求項２】
前記プライマリ及びセカンダリ電気導体の少なくとも１つが、円周構造を具備し、
前記第１及び第２の信号送信デバイスの少なくとも１つは、前記電気導体を持ち同心的態様において提供される、請求項１に記載の装置。
【請求項３】
前記供給ボード及びメインボードの１つのエッジの前部端部の少なくとも部分が、前記絶縁プレートにより覆われるよう配置される少なくとも１つの突出エッジを、前記絶縁プレートが持つ、請求項１又は２に記載の装置。
【請求項４】
前記少なくとも１つの信号送信装置が、光送信機及び光受信機の少なくとも１つのペアを有する、請求項１、２又は３に記載の装置。
【請求項５】
前記プライマリ電気導体及び前記セカンダリ電気導体が、前記個別のボードの多層スタックにおける螺旋トラックとして提供されるコイルとして配される、請求項１又は２に記載の装置。
【請求項６】
高電圧スイッチであって、
トランジスタと、
請求項１乃至５の一項に記載の集積信号及び電力送信装置とを有し、
前記トランジスタが、前記メインボードに提供され、
前記変圧器装置は、前記トランジスタを駆動するために電力を提供するよう構成され、
前記第２の光学信号送信デバイスが、信号送信のため前記トランジスタの駆動回路に接続される、高電圧スイッチ。
【請求項７】
複数のトランジスタが提供され、前記トランジスタは直列接続され、
信号送信装置が、前記トランジスタのそれぞれに関して提供され、
前記トランジスタは、共通のメインボードに提供される、請求項６に記載の高電圧スイッチ。
【請求項８】
前記個別の変圧器装置及び信号送信装置を持つ各トランジスタが、チャネルを形成し、各チャネルは、自身の高い電位で動作可能である、請求項６又は７に記載の高電圧スイッチ。
【請求項９】
直接隣接する信号送信装置の間の光導体として作用するよう、前記絶縁プレートが構成される、請求項６乃至８の一項に記載の高電圧スイッチ。
【請求項１０】
隣接する信号送信装置の前記絶縁プレートの部分の間で、光学分離が提供される、請求項６乃至８の一項に記載の高電圧スイッチ。
【請求項１１】
Ｘ線生成器であって、
陰極及び陽極を持つＸ線源と、
請求項６乃至１０の一項に記載の高電圧スイッチとを有し、
前記陰極及び前記陽極が、Ｘ線放射線の生成に関して前記陰極から前記陽極へと電子ビームを放出するよう、前記高電圧スイッチからの電気エネルギーを具備する、Ｘ線生成器。
【請求項１２】
Ｘ線源に関する高電圧源を生成する方法において、
ａ）変圧器装置のプライマリ電気導体に対してプライマリ電気エネルギーを提供するステップであって、セカンダリ電気エネルギーを生じさせるセカンダリ電気導体における電磁気誘導がもたらされ、前記プライマリ電気導体及び前記セカンダリ電気導体が、絶縁プレートにより分離される、ステップと、
ｂ）前記セカンダリ電気エネルギーをトランジスタに提供するステップと、
ｃ）光学信号を生成するため、第１の光学信号送信デバイスに対してプライマリ制御信号を提供するステップと、
ｄ）セカンダリ制御信号を生成するため、第２の光学信号送信デバイスに対して前記絶縁プレートを通り前記光学信号を送信するステップであって、前記絶縁プレートが、前記第１及び第２の光学信号送信デバイスの間の少なくとも部分において光透過性である、ステップと、
ｅ）前記トランジスタを切り替えるため、前記セカンダリ制御信号を前記トランジスタに提供するステップとを有する、方法。
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
互いに連結された蓄電セル（５）の少なくとも１つのスタック（３，４）を備え、隣接する蓄電セル（５）の少なくとも２つのセル極板（１８）が、好ましくは少なくとも１つのセルコネクタ（１９，２０）によって、電気的に互いに接続され、少なくとも１つのセル極板（１８）とセルコネクタ（１９，２０）との接続が、少なくとも１つの好ましくは冷間表面プレスされたクリンチ接合接続部（２１）によって形成される蓄電デバイス（１）、好ましくは電気自動車用の蓄電デバイス（１）、特に高電圧バッテリ、特に二次電池であって、少なくとも１つのセルコネクタ（１９，２０）がＵ字形のプロファイル又はＹ字形のプロファイルを有することを特徴とする蓄電デバイス（１）。
【請求項２】
前記クリンチ接合接続部（２１）が、数個の隣接配置されたジョイント（２１ａ）を備えることを特徴とする請求項１に記載の蓄電デバイス（１）。
【請求項３】
前記ジョイント（２１ａ）が、上下に配置される数個の列に配置され、好ましくは互いにずらして配置されることを特徴とする請求項２に記載の蓄電デバイス（１）。
【請求項４】
前記クリンチ接合接続部（２１）の少なくとも１つのジョイントが、平面視で円形、楕円形、矩形、又は三角形であることを特徴とする請求項１乃至３のいずれか一項に記載の蓄電デバイス（１）。
【請求項５】
少なくとも１つのクリンチ接合接続部（２１）が、気密封止されることを特徴とする請求項１乃至４のいずれか一項に記載の蓄電デバイス（１）。
【請求項６】
少なくとも１つのセル極板（１８）、及び前記クリンチ接合接続部（２１）によって前記セル極板（１８）に接続された少なくとも１つのセルコネクタ（１９，２０）が、様々な金属材料によって構成されることを特徴とする請求項１乃至５のいずれか一項に記載の蓄電デバイス（１）。
【請求項７】
少なくとも１つのセルコネクタ（１９，２０）が、２つの異なる金属材料によって構成されることを特徴とする請求項１乃至６のいずれか一項に記載の蓄電デバイス（１）。
【請求項８】
Ｕ字形のプロファイルを備えるセルコネクタ（１９，２０）及びＹ字形のプロファイルを備えるセルコネクタ（１９，２０）が、連続する蓄電セル（５）間に交互に配置されることを特徴とする請求項１乃至７のいずれか一項に記載の蓄電デバイス（１）。
【請求項９】
少なくとも１つのクリンチ接合接続部（２１）が、冷却空気チャネル（２７）に配置されることを特徴とする請求項１乃至８のいずれか一項に記載の蓄電デバイス（１）。
【請求項１０】
少なくとも１つのクリンチ接合接続部（２１）が、前記冷却空気チャネル（１７）の冷却空気フロー内に突出する少なくとも１つのジョイント（２１ａ）を備えることを特徴とする請求項１乃至９のいずれか一項に記載の蓄電デバイス（１）。
【請求項１１】
少なくとも１つのクリンチ接合接続部（２１）の少なくとも１つのジョイント（２１ａ）が、乱流を生じるように配置されることを特徴とする請求項１０に記載の蓄電デバイス（１）。
【請求項１２】
少なくとも１つのセル極板（１８）を備える少なくとも１つのセル電圧モニタリングケーブル（２２）も前記クリンチ接合接続部（２１）を用いて導電的に接続されることを特徴とする請求項１乃至１１のいずれか一項に記載の蓄電デバイス（１）。
【請求項１３】
前記蓄電デバイス（１）が、一次電池、二次電池、コンデンサ、又は燃料電池であることを特徴とする請求項１乃至１２のいずれか一項に記載の蓄電デバイス（１）。
【請求項１４】
少なくとも１つの蓄電セル（５）がポーチセルによって形成されることを特徴とする請求項１乃至１３のいずれか一項に記載の蓄電デバイス（１）。
【請求項１５】
少なくとも２つのセル極板（１８）が異なる厚みを有し、好ましくは少なくとも１つのセル極板（１８）が互いに接続された別のセル極板層によって構成されることを特徴とする請求項１乃至１４のいずれか一項に記載の蓄電デバイス（１）。
【請求項１６】
少なくとも１つのセル極板（１８）が電気めっき層、好ましくはニッケルコーティングを有することを特徴とする請求項１乃至１５のいずれか一項に記載の蓄電デバイス（１）。
【請求項１７】
少なくとも１つの電圧タッピング要素（３１）が、好ましくはクリンチ接合接続部（２１）を用いて、少なくとも１つのセル極板（１８）に接続されることを特徴とする請求項１乃至１６のいずれか一項に記載の蓄電デバイス（１）。
【請求項１８】
前記電圧タッピング要素（３１）が前記クリンチ接合接続部（２１）の全領域に渡って延出することを特徴とする請求項１７に記載の蓄電デバイス（１）。
【請求項１９】
少なくとも１つの好ましくはＵ字形のセルコネクタ（１９）は、少なくとも２つのセル極板（１８）間に架かる帯状領域（１９ｂ）に少なくとも１つの取付け開口（３５）を備え、好ましくは前記クリンチ接合接続部（２１）が、前記取付け開口（３５）と前記蓄電セル（５）との間に配置されることを特徴とする請求項１乃至１８のいずれか一項に記載の蓄電デバイス（１）。
【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
−  光を発生するように配置された光源と、
−  前記光源を支持するように配置された熱伝導キャリアと、
−  エンベロープとを有する、照明装置であって、
前記熱伝導キャリア及び前記エンベロープが、単一の一体部を形成し、前記熱伝導キャリア及び前記エンベロープが、前記光源を少なくとも部分的に囲む単一コンパートメントを一緒に形成し、前記熱伝導キャリアが、前記光源から前記エンベロープに熱を伝達し、前記エンベロープが、前記照明装置から熱を放散する、
照明装置。
【請求項２】
前記光源が、所定の空間領域に光を放射し、前記空間領域の少なくとも部分的に外部に前記熱伝導キャリアが配置されるように、前記熱伝導キャリアが前記光源に関連して配置される、請求項１に記載の照明装置。
【請求項３】
前記熱伝導キャリアが、前記エンベロープのベース部に配置される、請求項１又は２に記載の照明装置。
【請求項４】
前記熱伝導キャリアが、前記光源を収容するように配置されたスルーホールを含む、請求項１乃至３のいずれか一項に記載の照明装置。
【請求項５】
前記熱伝導キャリア及び前記エンベロープが、セラミック材料を含む、請求項１乃至４のいずれか一項に記載の照明装置。
【請求項６】
前記セラミック材料が、半透明の多結晶酸化アルミニウムである、請求項５に記載の照明装置。
【請求項７】
前記エンベロープが、前記光源によって発生された光の少なくとも一部を透過する透過領域を含む、請求項１乃至６のいずれか一項に記載の照明装置。
【請求項８】
前記エンベロープが、前記光源によって発生された光の少なくとも一部を反射する反射領域を含む、請求項１乃至７のいずれか一項に記載の照明装置。
【請求項９】
前記エンベロープが電球形である、請求項１乃至８のいずれか一項に記載の照明装置。
【請求項１０】
前記光源から光を案内するように配置された光導波路を更に含む、請求項１乃至９のいずれか一項に記載の照明装置。
【請求項１１】
前記光導波路が、前記コンパートメントの中へ突出し、それによって、前記光源によって発生された光を前記コンパートメントのほぼ中央領域から放射するようにする、請求項１０に記載の照明装置。
【請求項１２】
前記光導波路が、前記光源を少なくとも部分的に囲む内部エンベロープを含む、請求項１０又は１１に記載の照明装置。
【請求項１３】
前記内部エンベロープが、電球形で可撓性であり、且つ蛍光コーティングを含む、請求項１２に記載の照明装置。
【請求項１４】
前記光源が、少なくとも１つの発光ダイオードを含む、請求項１乃至１３のいずれか一項に記載の照明装置。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
光、プラズマ（３０６）イオン、およびプラズマ（３０６）電子を含むプラズマ（３０６）を発生させるように構成されたプラズマ源（２０１）であって、光の少なくとも一部がアパーチャ（４０８）を通過しかつガス試料（４０５）に入射するように配置されたアパーチャ（４０８）を含むプラズマ源（２０１）と、
イオン化領域（２０２）と、
電界を確立するように構成された複数の電極を含むプラズマ偏向装置であって、前記プラズマ（３０６）イオンが前記イオン化領域（２０２）に入るのを前記電界が実質的に防止するようにしたプラズマ偏向装置（２０３）と
を備えるイオン化装置（１０４）。
【請求項２】
前記プラズマ偏向装置（２０３）がさらに、磁界を確立するように構成された磁石を含み、前記プラズマ（３０６）の電子が前記イオン化領域（２０２）に入るのを前記磁界が実質的に防止する、請求項１に記載のイオン化装置（１０４）。
【請求項３】
前記電界および前記磁界が実質的に直交する、請求項２に記載のイオン化装置（１０４）。
【請求項４】
前記電界および前記磁界が実質的に平行である、請求項２に記載のイオン化装置（１０４）。
【請求項５】
前記電界および前記磁界が実質的に逆平行である、請求項２に記載のイオン化装置（１０４）。
【請求項６】
前記電界が軸線方向に向き付けられ、かつ前記磁界が半径方向に向き付けられた、請求項２又は３に記載のイオン化装置（１０４）。
【請求項７】
前記電界および前記磁界が半径方向に向き付けられた、請求項２又は３に記載のイオン化装置（１０４）。
【請求項８】
質量分析器（１０２）と、検出器（１０３）と、イオン源（１０１）とを備えた質量分析計であって、前記イオン源（１０１）が請求項１〜７のいずれかに記載のイオン化装置（１０４）を含む、質量分析計（１００）。
【請求項９】
試料ガスを励起光に暴露させる方法（５００）であって、
光、プラズマ（３０６）イオン、およびプラズマ（３０６）電子を含むプラズマ（３０６）を発生させるステップと、
前記プラズマ（３０６）からの前記光の少なくとも一部分を、アパーチャ（４０８）を介してイオン化領域（２０２）に通すステップと、
ガス試料（４０５）がイオン化領域（２０２）を通過するステップと、
前記プラズマ（３０６）イオンが前記イオン化領域（２０２）に入るのを実質的に防止するように電界を発生させるステップと
を含む方法（５００）。
【請求項１０】
前記プラズマ（３０６）電子が前記イオン化領域（２０２）に入るのを実質的に防止するように磁界を発生させるステップをさらに含む、請求項９に記載の方法（５００）。
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
負荷、特に一つ以上のＬＥＤを含むＬＥＤユニット用のドライバ装置であって、
外部電源から整流電源電圧を受ける電力入力端子と、
負荷を駆動するための駆動電圧及び／又は電流を供給する電力出力端子と、
高電圧ノードと低電圧ノードとの間に直列に結合された第１及び第２スイッチング要素を含むハーフブリッジユニットであって、前記第１スイッチング要素と第２スイッチング要素との間にスイッチノードを有する、ハーフブリッジユニットと、
電力入力端子と前記ハーフブリッジユニットとの間に結合された第１インダクタ及び直列ダイオードを含む昇降圧入力フィルタユニットと、
前記ハーフブリッジユニットと電力出力端子との間に結合された第２インダクタを含む降圧出力フィルタユニットと、
前記電力入力端子間に結合された入力バイパスコンデンサと、
前記電力出力端子間に結合された出力バイパスコンデンサと、
前記スイッチング要素を制御する制御ユニットと
を有し、
エネルギー保持ユニットを備える、ドライバ装置。
【請求項２】
高電力入力端子が前記ハーフブリッジユニットの前記高電圧ノードに結合され、低電力入力端子が前記昇降圧入力フィルタユニットに結合される、請求項１に記載のドライバ装置。
【請求項３】
前記昇降圧入力フィルタユニットの入力端子は前記低電力入力端子に結合され、前記昇降圧入力フィルタユニットの出力端子は、前記ハーフブリッジユニットの前記スイッチノードと、前記エネルギー保持ユニット又は前記高電力出力端子の何れかとに結合される、請求項２に記載のドライバ装置。
【請求項４】
低電力入力端子が前記ハーフブリッジユニットの前記低電圧ノードに結合され、高電力入力端子が前記昇降圧入力フィルタユニットに結合される、請求項１に記載のドライバ装置。
【請求項５】
前記昇降圧入力フィルタユニットの入力端子は前記エネルギー保持ユニット又は前記低電力出力端子に結合され、前記昇降圧入力フィルタユニットの出力端子は、前記ハーフブリッジユニットの前記スイッチノード、及び前記高電力入力端子に結合される、請求項４に記載のドライバ装置。
【請求項６】
前記エネルギー保持ユニットは、低電力入力端子と前記ハーフブリッジユニットの前記低電圧ノードとの間に結合される、請求項１に記載のドライバ装置。
【請求項７】
前記エネルギー保持ユニットは、高電力入力端子と前記ハーフブリッジユニットの前記高電圧ノードとの間に結合される、請求項１に記載のドライバ装置。
【請求項８】
前記エネルギー保持ユニットは、前記降圧出力フィルタユニットの出力端子間に結合される、請求項１に記載のドライバ装置。
【請求項９】
前記エネルギー保持ユニットは、充電コンデンサを含む、請求項１に記載のドライバ装置。
【請求項１０】
ＡＣ電源電圧、特にコンセント電圧を前記整流周期電源電圧に整流する整流ユニットをさらに有する、請求項１に記載のドライバ装置。
【請求項１１】
前記制御ユニットは、前記エネルギー保持要素の両端の電圧を所定の閾値未満に保つ、及び／又は入力電流を変調して、出力電流を一定に保つ、請求項１に記載のドライバ装置。
【請求項１２】
一つ以上の照明ユニットを含む照明アセンブリ、特に一つ以上のＬＥＤを含むＬＥＤユニットと、
前記照明アセンブリを駆動する、請求項１乃至１１の何れか一項に記載のドライバ装置と
を有する、照明装置。
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
画像シーケンス内のナビゲーションを行う方法であって、
画像を画面上に表示するステップと、
第１の入力に従って第１の位置で前記表示された画像の第１のオブジェクトを選択するステップと、
第２の入力に従って前記第１のオブジェクトを第２の位置に移動させるステップと、
前記第１のオブジェクトが前記第２の位置の近傍にある前記画像シーケンス内の少なくとも１つの画像を特定するステップと、
前記特定された画像のうちの１つから画像シーケンスの再生を開始するステップと、
を含み、
前記第１のオブジェクトを第２の位置に移動させるステップは、
・さらなる入力に従って、第３の位置で前記表示された画像の第２のオブジェクトを選択するステップと、
・前記第２のオブジェクトに対して相対的な前記第１のオブジェクトの移動先を定義するステップと、
・前記移動先に前記第１のオブジェクトを移動させるステップと、
を含み、
前記特定するステップは、前記第１のオブジェクトの前記移動先の相対的な位置が前記第２のオブジェクトの前記位置の近傍にある前記画像シーケンス内の少なくとも１つの画像を特定することを含む、前記方法。
【請求項２】
前記第１のオブジェクトを選択するための前記第１の入力は、前記第１のオブジェクトをクリックすることと、前記第１のオブジェクトの周りに境界ボックスを描くことと、インデックスによって前記第１のオブジェクトを選択することと、のうちの１つである、請求項１に記載の方法。
【請求項３】
前記第２の位置は、前記第１の位置の座標とは異なる前記画面上の座標によって定義される、請求項１または２に記載の方法。
【請求項４】
前記第２の位置は、前記第２のオブジェクトに対して定義される、請求項１または２に記載の方法。
【請求項５】
前記第２のオブジェクトを選択するステップにおける前記さらなる入力は、前記オブジェクトをクリックすること、前記オブジェクトの周りに境界ボックスを描くこと、または、インデックスで前記オブジェクトを選択することである、請求項１記載の方法。
【請求項６】
前記オブジェクトがオブジェクト・セグメンテーション、オブジェクト検出、または、顔検出によって選択される、請求項１〜５のいずれか１項に記載の方法。
【請求項７】
前記特定するステップは、前記画像シーケンスの画像内の前記第１のオブジェクトの前記位置を定義するためにオブジェクト・トラッキングを行うことを含む、請求項１〜５のいずれか１項に記載の方法。
【請求項８】
オブジェクトを選択するためにキー・ポイント技術が使用される、請求項１〜７のいずれか１項に記載の方法。
【請求項９】
オブジェクトを選択するためにキー・ポイント技術が使用され、キー・ポイントの記述が前記画像シーケンス内の複数の異なる画像におけるオブジェクトの類似度を判定するために使用される、請求項１〜７のいずれか１項に記載の方法。
【請求項１０】
前記画像シーケンスの画像の部分のみが、前記オブジェクトが前記第２の位置の近傍にある少なくとも１つの画像を特定するために分析される、請求項１〜９のいずれか１項に記載の方法。
【請求項１１】
前記画像シーケンスの画像の部分が、現在表示されている画像からの特定の再生時間、前記現在表示されている画像に後続する全ての画像、および、前記現在表示されている画像よりも前の全ての画像のうちの１つを表す、請求項１０に記載の方法。
【請求項１２】
前記画像シーケンスの画像の部分が、Ｉピクチャ、Ｂピクチャ、およびＰピクチャのうちの１つを表す、請求項１０または１１に記載の方法。
【請求項１３】
画像シーケンス内のナビゲーションを行う装置であって、
該装置が、請求項１〜１２のいずれか１項に従った方法を実行する、前記装置。
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
無線センサーネットワークであって、
パラメータを検出するためのセンサーを有する少なくとも１つのセンサーユニットと、少なくとも１つの問い合わせノードとを備えており、
前記問い合わせノードが、前記センサーユニットへ問い合わせメッセージを周期的に送信し、前記センサーユニットから返答メッセージを受信するように構成されており、 
前記センサーユニットは、アラーム条件が満たされていると前記センサーユニットが判定しない限り、前もって決められた意図的遅延後に前記返答メッセージを送信するように構成され、アラーム条件が満たされていると前記センサーユニットが判定した場合、前記センサーユニットは、前記意図的遅延の終了前に前記返答メッセージを送信するように構成されてなる、無線センサーネットワーク。
【請求項２】
前記問い合わせノードが他のデバイスにより生成される問い合わせメッセージを送信するように構成されてなる、請求項１に記載のネットワーク。
【請求項３】
アラーム状態が検出された場合、前記返答メッセージが、アラームメッセージという異なるメッセージを含む、請求項１または２に記載のネットワーク。
【請求項４】
前記返答メッセージが、前記センサーユニットにより検出されるパラメータに関する量的データまたは前記センサーユニットを識別するための識別情報を含む、請求項１乃至３のうちのいずれか一項に記載のネットワーク。
【請求項５】
１つ以上のセンサーユニットが、他のセンサーユニットまたはネットワークノードのためにメッセージおよび／またはデータを中継するように構成されてなる、請求項１乃至４のうちのいずれか一項に記載のネットワーク。
【請求項６】
データネットワークにより相互におよび／または中央サーバーに接続される複数の問い合わせノードを備えてなる、請求項１乃至５のうちのいずれか一項に記載のネットワーク。
【請求項７】
前記センサーユニットが、アラーム状態が検出された後可及的速やかに前記返答メッセージを送信するように構成されてなる、請求項１乃至６のうちのいずれか一項に記載のネットワーク。
【請求項８】
問い合わせメッセージが周期Ｔで送信され、前記意図的遅延がＴの８０％を超えている、請求項１乃至７のうちのいずれか一項に記載のネットワーク。
【請求項９】
アラームメッセージを受信している場合に要求メッセージをより頻繁に送信するよう前記問い合わせノードが制御されるように構成されてなる、請求項１乃至８のうちのいずれか一項に記載のネットワーク。
【請求項１０】
前記センサーユニットがガスセンサーを含む、請求項１乃至９のうちのいずれか一項に記載のネットワーク。
【請求項１１】
無線センサーネットワーク用のセンサーユニットであって、
パラメータを検出するためのセンサーを備えており、
前記センサーユニットは、 問い合わせノードから問い合わせメッセージを周期的に受信し、アラーム条件が満たされていると前記センサーユニットが判定しない限り、前もって決められた意図的遅延後に返答を前記問い合わせノードへ送信するように構成され、アラーム条件が満たされていると前記センサーユニットが判定した場合、前記センサーユニットが前記意図的遅延の終了前に前記返答を送信するように構成されてなる、センサーユニット。
【請求項１２】
アラーム状態が検出された場合、前記返答のメッセージが、アラームメッセージという異なるメッセージを含む、請求項１１に記載のセンサーユニット。
【請求項１３】
前記返答のメッセージが、前記センサーユニットにより検出されるパラメータに関する量的データまたは前記センサーユニットを識別するための識別情報を含む、請求項１１または１２に記載のセンサーユニット。
【請求項１４】
他のセンサーユニットまたはネットワークノードのためにメッセージおよび／またはデータを中継するように構成されてなる、請求項１１乃至１３のうちのいずれか一項に記載のセンサーユニット。
【請求項１５】
前記センサーユニットが、アラーム状態が検出された後可及的速やかに前記返答のメッセージを送信するように構成されてなる、請求項１１乃至１４のうちのいずれか一項に記載のセンサーユニット。
【請求項１６】
前記意図的遅延が、問い合わせメッセージの受信周期Ｔの８０％を超えている、請求項１１乃至１５のうちのいずれか一項に記載のセンサーユニット。
【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
コンピューティングデバイスにおいて、ビデオコンテンツから取られたビデオコンテンツの部分を編集して要求コンピューティングデバイスにプロビジョニングする方法であって、
ビデオアイテムに対して、複数のビュアーのうちの各ビュアーの感情的応答プロファイルを受信するステップであって、各感情的応答プロファイルは、一ビュアーにより見られた時の、前記ビデオアイテムに対する前記一ビュアーの感情的応答の時間的相関を含むステップと、
前記感情的応答プロファイルを閾値感情的応答と比較するステップと、
前記感情的応答プロファイルの前記閾値感情的応答との比較に基づいて、前記ビデオアイテムの第２部分より感情的に刺激的であると判断された前記ビデオアイテムの第１部分を選択するステップと、
前記ビデオアイテムの第２部分を送信せずに、前記ビデオアイテムの第１部分を求める要求に応じて、他のコンピューティングデバイスに、前記ビデオアイテムの第１部分を送信するステップとを有する、
方法。
【請求項２】
前記ビデオアイテムの第１部分を選択するステップは、要求ビュアーが属するソーシャルネットワークに属するビュアーに対応する感情的応答プロファイルを、他の感情的応答プロファイルより大きく重み付けるステップを含む、
請求項１に記載の方法。
【請求項３】
前記ビデオアイテムの第１部分を選択するステップは、要求ビュアーが属するデモグラフィックグループに属するビュアーに対応する感情的応答プロファイルを、他の感情的応答プロファイルより大きく重み付けるステップを含む、
請求項１に記載の方法。
【請求項４】
前記感情的応答プロファイルに基づき、前記ビデオアイテムの第１部分を含み、前記ビデオアイテムの他の部分も含むハイライトリストを生成するステップをさらに有する、
請求項１に記載の方法。
【請求項５】
前記ビデオアイテムに対するビュアーの物理的応答を含むビュアービデオクリップを生成するステップをさらに有し、前記第１部分を送信するステップは、前記ビュアーリアクションビデオクリップを送信するステップを含む、
請求項１に記載の方法。
【請求項６】
前記感情的応答プロファイルを介して選択された前記ビデオコンテンツアイテムの複数の部分に対する一以上のビュアーのそれぞれの反応をキャプチャするビデオクリップを含むビュアーリアクションハイライトクリップを生成するステップをさらに有する、
請求項５に記載の方法。
【請求項７】
前記ビデオアイテムの第１部分を選択するステップは、複数の感情的応答プロファイルを集計して前記ビデオアイテムの集計感情的応答プロファイルを構成するステップと、次に、前記集計感情的応答プロファイル中の前記ビデオアイテムの第１部分に対する感情的応答に強さに基づき、前記ビデオアイテムの第１部分を選択するステップとをさらに有する、
請求項１に記載の方法。
【請求項８】
他のビデオアイテムの感情的応答プロファイルを受信するステップと、
前記他のビデオアイテムのそれぞれについて、
前記感情的応答プロファイルを前記ビデオアイテムの集計感情的応答プロファイルに集計するステップと、
前記集計感情的応答プロファイル中の第１部分に対する感情的応答の強さに基づき、前記ビデオアイテムの第１部分を選択するステップと、
前記他のビデオアイテムの第２部分を送信せずに、前記他のビデオアイテムの第１部分のうち一以上の部分を送信するステップとをさらに有する、
請求項１に記載の方法。
【請求項９】
前記ビデオアイテムの第１部分を送信するステップは、１つのビデオコンポジションとして、前記他のビデオアイテムの第１部分の一以上の部分を送信するステップを含む、
請求項８に記載の方法。
【請求項１０】
前記要求は検索タームを含み、前記ビデオアイテムの第１部分を選択するステップは、前記ビデオアイテムの第１部分を選択する時に前記検索タームに基づきフィルタするステップを含む、
請求項１に記載の方法。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
データのストリームをマージするための、コンピュータによって実行される方法であって：
複数の物理的に相違する入力ストリームをそれぞれの源から受領する段階と；
論理マージ・モジュールを使って、各入力ストリームと論理的に適合する出力ストリームを生成する段階とを含む、
方法。
【請求項２】
各入力ストリーム中の各要素について：
前記要素の型を評価する段階と；
前記要素に応答して取るべき出力アクションを決定する段階であって、前記出力アクションは：
前記出力ストリームに何の寄与も提供しないこと；
前記出力ストリームに新たな出力情報を提供すること；
前記出力ストリーム中の前の出力情報を調整すること；および
前記出力ストリームに進行マーカー情報を提供すること、のうちから選択される、段階と；
前記論理マージ・モジュールに関連付けられた状態を調整する段階とをさらに含む、
方法。
【請求項３】
前記論理マージ・モジュールが、前記決定する段階および前記調整する段階を実行するために、複数のアルゴリズムのうちから選択されるアルゴリズムを適用し、前記複数のアルゴリズムは前記複数の入力ストリームに関連付けられる制約のさまざまな個別のレベルに関連付けられている、請求項２記載の方法。
【請求項４】
前記入力ストリームが複数の個別のユニットから発し、前記ユニットが同じ連続的な問い合わせを実装する、請求項１記載の方法。
【請求項５】
前記複数の個別のユニットが異なるそれぞれの問い合わせプランを使って前記連続的な問い合わせを実行する、請求項４記載の方法。
【請求項６】
前記複数のユニットのうちの少なくとも一つがその動作を先に進めることができるようにするため、前記複数のユニットのうちの前記少なくとも一つにフィードバック情報を送る段階をさらに含む、請求項４記載の方法。
【請求項７】
任意の所与の時点において少なくとも一つの障害を起こしていない入力ストリームから選択することによって、前記出力ストリームが前記論理マージ・モジュールによって生成されて、高い可用性を提供する、請求項１記載の方法。
【請求項８】
任意の所与の時点において少なくとも一つの適時の入力ストリームから選択することによって、前記出力ストリームが前記論理マージ・モジュールによって生成されて、速い可用性を提供する、請求項１記載の方法。
【請求項９】
ストリームを処理するための、物理的かつ有体なコンピューティング資源によって実装される論理マージ・モジュールであって：
複数の物理的に相違する入力ストリーム中の諸要素をパースする要素パース・モジュールと；
前記要素パース・モジュールによって同定された各要素の型を評価する要素型判別モジュールと；
出力ストリームを生成するために、同定された各要素に応答して取るべき出力アクションを決定する要素処理モジュールであって、前記出力アクションは：
前記出力ストリームに何の寄与も提供しないこと；
前記出力ストリームに新たな出力情報を提供すること；
前記出力ストリーム中の前の出力情報を調整すること；および
前記出力ストリームに進行マーカー情報を提供すること、のうちから選択される、要素処理モジュールと；
前記論理マージ・モジュールに関連付けられた状態を調整する状態管理モジュールとを有しており、
前記要素処理モジュールによって生成される前記出力ストリームは、前記複数の入力ストリームのそれぞれと論理的に適合する、
論理マージ・モジュール。
【請求項１０】
一つまたは複数の処理装置に：
複数の物理的に相違する入力ストリームを、同じ連続的な問い合わせを実行するそれぞれの源から受領する段階と；
論理マージ作用部を使って、各入力ストリームのTDB表現と論理的に等価な時間的データベース（TDB）表現をもつ出力ストリームを生成する段階
とを実行させるためのコンピュータ・プログラム。
【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
電気化学貯蔵装置であって、
電気的に直列接続された複数のハイブリッド電気化学セルを備え、
複数のハイブリッド電気化学セルの各々が、
負のアノード電極と、
正のカソード電極と、
水系電解質と、を含み、
前記アノード電極の充電貯蔵容量が、前記カソード電極の充電貯蔵容量よりも低く、
複数のハイブリッド電気化学セルのうちの少なくとも１個のセルの充電時に前記アノード電極の充電貯蔵容量を超えると、電解質の水が前記少なくとも１個のセルのアノード電極において局所的に電気分解して水素とＯＨ- 種を形成する装置。
【請求項２】
請求項１記載の装置において、
前記装置が、ハイブリッドエネルギー貯蔵装置を含み、
作動中の前記カソード電極がアルカリ金属陽イオンを可逆的にインターカレートし、
前記アノード電極が、前記アノード電極の表面のアルカリ金属陽イオンの可逆的非ファラデ反応によって電荷を貯蔵する容量性電極、または前記アノード電極の表面のアルカリ金属陽イオンと部分的電荷移動表面相互作用を起こす擬似容量性電極を含み、
前記アノード電極が、アノードバイアス条件下の１Ｍ  Ｎａ2 ＳＯ4 中で１２０Ｆ／ｇを超えるように改変された高表面積炭素を含む装置。
【請求項３】
請求項２記載の装置において、
前記カソード電極が、式Ａx Ｍy Ｏz を有する材料を含み、式中、ＡはＬｉ、Ｎａ、Ｋ、Ｂｅ、ＭｇおよびＣａの１種類以上であり、ｘは、使用前には０〜１の範囲であり、使用中には０〜１０の範囲であり、Ｍは任意の１種類以上の遷移金属を含み、ｙは１〜３の範囲であり、ｚは２〜７の範囲であり、前記アノード電極は活性炭を含み、前記電解質はＳＯ42- 、ＮＯ3 - 、ＣｌＯ4 - 、ＰＯ43- 、ＣＯ32- 、Ｃｌ- またはＯＨ- 陰イオンを含む装置。
【請求項４】
請求項３記載の装置において、
前記カソード電極がドープもしくは非ドープ立方晶スピネルλＭｎＯ2 形材料またはＮａ0.44ＭｎＯ2 トンネル構造斜方晶材料を含み、前記アノード電極が活性炭を含み、前記電解質が水中で溶媒和したＮａ2 ＳＯ4 またはＬｉ2 ＳＯ4 の少なくとも一方を含む装置。
【請求項５】
請求項１記載の装置において、
前記ＯＨ- 種が前記アノード電極の表面近傍のｐＨを増加させ、このｐＨを増加させることが前記電解質の電圧安定性窓を局所的に低下させ、それによってさらなる水素発生を抑制または抑止し、
前記少なくとも１個のセルの充電時に形成された水素種が、前記少なくとも１個のセルの放電時に前記ＯＨ- 種と結合する装置。
【請求項６】
請求項１記載の装置において、
前記アノード電極が、活性炭活物質および水素貯蔵材料を含む複合電極を含む装置。
【請求項７】
請求項１記載の装置において、
前記装置中の複数のハイブリッド電気化学セルの第１のセルが、前記装置中の複数のハイブリッド電気化学セルの第２のセルよりも製造時の充電貯蔵容量が低く、
前記第１のセルが、放電および充電中に過充電および充電不足状態になり、
前記装置が、セルレベルの電圧監視および電流制御回路を持たない装置。
【請求項８】
請求項１記載の装置において、
水がアノード電極／電解質界面において電気分解し始める前に利用可能な前記アノード電極の充電貯蔵容量が、前記カソード電極の充電貯蔵容量の５０〜９０％であり、
前記アノード電極と前記カソード電極との質量比が、１未満であり、
前記アノード電極の比容量と前記アノード電極の荷重との積が、前記カソード電極の比容量と前記カソード電極の荷重との積よりも小さい装置。
【請求項９】
電気化学エネルギー貯蔵装置を動作させる方法であって、
電気的に直列接続された複数の水系電解質ハイブリッド電気化学セルを充放電するステップを含み、
充電時に、複数の水系電解質ハイブリッド電気化学セルのうちの少なくとも１個のセルの充電時に前記少なくとも１個のセルのアノード電極の充電貯蔵容量を超えると、水系電解質の水が前記少なくとも１個のセルのアノード電極において電気分解して水素およびＯＨ- 種を形成し、前記ＯＨ- 種が前記アノード電極の表面近傍のｐＨを増加させ、このｐＨを増加させることが電解質の電圧安定性窓を低下させ、それによってさらなる水素発生を抑制または抑止し、
放電時に、前記少なくとも１個のセルの充電時に形成された水素種が、前記ＯＨ- 種と結合する方法。
【請求項１０】
請求項９記載の方法において、
複数の水系電解質ハイブリッド電気化学セルの各々が、アノード電極、カソード電極および水系電解質を含み、
複数の水系電解質ハイブリッド電気化学セルの各々において、前記アノード電極の充電貯蔵容量が前記カソード電極の充電貯蔵容量よりも低く、
複数の水系電解質ハイブリッド電気化学セルの各々が、二次ハイブリッド水溶液エネルギー貯蔵セルを含み、
作動中の前記カソード電極がアルカリ金属陽イオンを可逆的にインターカレートし、
前記アノード電極が、前記アノード電極の表面のアルカリ金属陽イオンの可逆的非ファラデ反応によって電荷を貯蔵する容量性電極、または前記アノード電極の表面のアルカリ金属陽イオンと部分的電荷移動表面相互作用を起こす擬似容量性電極を含む方法。
【請求項１１】
請求項１０記載の方法において、
水がアノード電極／電解質界面において電気分解し始める前に利用可能な前記アノード電極の充電貯蔵容量が、前記カソード電極の充電貯蔵容量の５０〜９０％であり、
前記アノード電極と前記カソード電極との質量比が、１未満であり、
前記アノード電極の比容量と前記アノード電極の荷重との積が、前記カソード電極の比容量と前記カソード電極の荷重との積よりも小さい方法。
【請求項１２】
請求項１０記載の方法において、
前記カソード電極が、ドープもしくは非ドープ立方晶スピネルλＭｎＯ2 形材料またはＮａＭｎ9 Ｏ18トンネル構造斜方晶材料を含み、前記アノード電極が活性炭を含み、前記電解質が、水中で溶媒和した１種以上のアルカリ陽イオンおよびＳＯ4 陰イオン種の組み合わせを含み、セルレベルの電圧が監視も制御もされない方法。
【請求項１３】
請求項９記載の方法において、
前記少なくとも１個のセルの充電時に形成される水素種の少なくとも一部が、前記アノード電極中、電極上または電極に貯蔵される方法。
【請求項１４】
請求項１３記載の方法において、
前記アノード電極が、活性炭活物質および水素貯蔵材料を含む複合電極を含み、前記少なくとも１個のセルの充電時に形成される水素種の少なくとも一部が、前記水素貯蔵材料中、材料上または材料に貯蔵される方法。
【請求項１５】
請求項１２記載の方法において、
前記アノード電極における水の電気分解が始まる電圧よりも１．５倍高いまたは０．８ボルト高い電圧で前記電気化学エネルギー貯蔵装置を充電するステップを含む方法。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
集積回路内に金属ケイ素化合物領域を形成する方法であって、
第１の領域および第２の領域を有する基板の前記第１の領域内にケイ素化合物抵抗領域を形成することであって、マスク層が前記基板の上に堆積され、前記第１の領域を露出するためにパターン化されること、
前記基板の前記第１の領域内に前記ケイ素化合物抵抗領域を形成した後に前記マスク層を除去すること、
前記第１の領域の第１の面、および前記第２の領域の第２の面に金属含有層を堆積すること、ならびに
前記堆積金属含有層をアニールして前記第２の領域内に第１の金属ケイ素化合物領域を形成し、かつ前記第１の領域に金属ケイ素化合物を形成しないか、または前記第１の領域に第１の金属ケイ素化合物領域よりも薄い第２の金属ケイ素化合物領域を形成することを含む、方法。
【請求項２】
前記第１の金属ケイ素化合物領域を前記第２の領域内に形成した後に、前記金属含有層を堆積したため残っている非ケイ化金属を前記第１の領域および前記第２の領域の上から除去することをさらに含む、請求項１に記載の方法。
【請求項３】
前記非ケイ化金属を除去することがさらに、
塩酸（ＨＣｌ）、硝酸（ＨＮＯ３）、硫酸（Ｈ２ＳＯ４）、または過酸化水素（Ｈ２Ｏ２）のうちの少なくとも１つを含む湿式化学処理を施して、前記非ケイ化金属の少なくとも一部を除去することを含む、請求項２に記載の方法。
【請求項４】
前記ケイ素化合物抵抗領域が前記第１の領域の前記第１の面から前記第１の領域の中に延びる、請求項１から３のいずれか一項に記載の方法。
【請求項５】
前記ケイ素化合物抵抗領域がシリコン（Ｓｉ）と、炭素（Ｃ）または窒素（Ｎ）の少なくとも一方とを含む、請求項４に記載の方法。
【請求項６】
前記ケイ素化合物抵抗領域を形成することがさらに、
ソース要素のイオンを前記第１の領域の前記第１の面に注入すること、または
ソース要素含有層を前記第１の領域の前記第１の面の上に堆積し、前記ソース要素含有層をアニールして前記ケイ素化合物抵抗領域を形成すること、
の少なくとも一方によって、前記第１の領域に前記ソース要素を供給することを含む、請求項４に記載の方法。
【請求項７】
前記ケイ素化合物抵抗領域を形成することがさらに、
前記第１の領域にソース要素を供給することを含み、前記ソース要素が炭素（Ｃ）または窒素（Ｎ）の少なくとも一方を含む、請求項４に記載の方法。
【請求項８】
前記ケイ素化合物抵抗領域を形成することがさらに、
前記第１の領域にソース要素を供給すること、ならびに
前記ケイ素化合物抵抗領域内の前記ソース要素の濃度、または前記ケイ素化合物抵抗領域が前記第１の面から前記第１の領域の中に延びる深さ、の少なくとも一方を制御して、前記第１の領域内に形成される金属ケイ素化合物の量を制御することを含む、請求項４に記載の方法。
【請求項９】
前記ケイ素化合物抵抗領域内の前記ソース要素の前記濃度を増加させることは、前記第１の領域内に形成される第２の金属ケイ素化合物領域のサイズを減らし、または
前記ケイ素化合物抵抗領域が前記第１の面から前記第１の領域の中に延びる前記深さを増加させることは、前記第１の領域内に形成される第２の金属ケイ素化合物領域のサイズを減らす、請求項８に記載の方法。
【請求項１０】
前記金属含有層をアニールすることによって前記第１の領域内に金属ケイ素化合物が形成されない、請求項１から３のいずれか一項に記載の方法。
【請求項１１】
前記堆積金属含有層をアニールすることがさらに、
前記第１の領域内に第２の金属ケイ素化合物領域を形成することを含み、前記第２の金属ケイ素化合物領域が前記第１の金属ケイ素化合物領域よりも小さい、請求項１から３のいずれか一項に記載の方法。
【請求項１２】
前記ケイ素化合物抵抗領域を形成する前に、
前記露出した第１の領域にドーパントを供給して前記第１の領域の抵抗率を制御することをさらに含む、請求項１から３のいずれか一項に記載の方法。
【請求項１３】
前記金属含有層が、コバルト（Ｃｏ）、チタン（Ｔｉ）、ニッケル（Ｎｉ）、または白金（Ｐｔ）のうちの１つ以上を含む、請求項１から３のいずれか一項に記載の方法。
【請求項１４】
基板と、
前記基板内に配置された、抵抗率調整要素およびケイ素化合物抵抗要素を含む第１の領域と、
前記基板内に前記第１の領域に隣接して配置された第２の領域と、
前記第１の領域の上に配置された第１の金属ケイ素化合物層と、
前記第２の領域の上に配置された第２の金属ケイ素化合物層とを備え、前記第１の金属ケイ素化合物層が前記第２の金属ケイ素化合物層よりも薄い、半導体構造体。
【請求項１５】
前記第１の領域と前記第１のケイ素化合物層のシート抵抗が約２０から約１００Ω毎スクエアまでの範囲である、請求項１４に記載の半導体構造体。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
パケットフィルタリングを実施するために無線送受信ユニット（ＷＴＲＵ）によって実行される方法であって、前記ＷＴＲＵは、第１のインターフェースおよび第２のインターフェースを含み、前記方法は、
少なくとも１つのタグを少なくとも１つの発信パケットに適用するステップと、
発信パケットフィルタリング機能を実行するステップと、
前記発信パケットを送信するために経由する、前記第１のインターフェースまたは前記第２のインターフェースのうちの少なくとも１つを、前記少なくとも１つのタグに少なくとも部分的に基づいて、前記発信パケットフィルタリング機能によって決定するステップと、
前記少なくとも１つの発信パケットから前記少なくとも１つのタグを除去するステップと、
前記決定された第１のインターフェースまたは第２のインターフェースのうちの少なくとも１つを経由して前記少なくとも１つの発信パケットを送信するステップと
を含むことを特徴とする方法。
【請求項２】
前記少なくとも１つのタグを前記少なくとも１つの発信パケットに適用する前記ステップは、前記第１のインターフェースまたは前記第２のインターフェースのレイヤよりも高位の論理レイヤにおいて行われることを特徴とする請求項１に記載の方法。
【請求項３】
前記少なくとも１つのタグを前記少なくとも１つの発信パケットに適用する前記ステップは、アプリケーションレイヤまたはコントロールレイヤにおいて行われることを特徴とする請求項２に記載の方法。
【請求項４】
前記少なくとも１つのタグは、前記少なくとも１つの発信パケットを、コントロールパケットまたは非コントロールパケットのいずれかとして指定することを特徴とする請求項１に記載の方法。
【請求項５】
前記第１のインターフェースを前記第２のインターフェースにマップするステップをさらに含むことを特徴とする請求項１に記載の方法。
【請求項６】
前記発信フィルタリング機能によって決定する前記ステップは、さらに、１つまたは複数の所定のルールに基づくことを特徴とする請求項１に記載の方法。
【請求項７】
前記少なくとも１つの発信パケットから前記少なくとも１つのタグを除去する前記ステップは、前記カーネルレベルにおいて前記少なくとも１つのフックによって実行されることを特徴とする請求項８に記載の方法。
【請求項８】
パケットフィルタリングを実施するために無線送受信ユニット（ＷＴＲＵ）によって実行される方法であって、前記方法は、
発信パケットフィルタリング機能を実行するステップと、
前記ＷＴＲＵ上のインターフェースマッピングに含まれる複数のそれぞれ個別のインターフェースを、前記発信パケットフィルタリング機能によって決定するステップと、
前記インターフェースマッピングに含まれる前記それぞれ個別のインターフェースを、前記発信パケットフィルタリング機能によって識別するステップと、
前記決定された複数のマップされるインターフェースに少なくとも部分的に基づいて、少なくとも１つの発信パケットの複数の必須のデュプリケートを、前記発信パケットフィルタリング機能によって決定するステップと、
前記少なくとも１つの発信パケットの前記必須の複数のデュプリケートを作成するステップと、
前記少なくとも１つの発信パケット、または前記少なくとも１つの発信パケットの前記デュプリケートのうちの１つのいずれかを、それぞれ、前記インターフェースマッピングに含まれる前記個別のインターフェースの各々を経由して送信するステップと
を含むことを特徴とする方法。
【請求項９】
パケットフィルタリングを実施するために無線送受信ユニット（ＷＴＲＵ）によって実行される方法であって、前記方法は、
少なくとも１つの着信パケットを識別するステップであって、前記少なくとも１つの着信パケットは、前記ＷＴＲＵのインターフェースを経由して受信される、ステップと、
少なくとも１つの発信パケットを識別するステップであって、前記少なくとも１つの発信パケットは、前記少なくとも１つの着信パケットに対応する、ステップと、
発信パケットフィルタ機能を実行するステップと、
前記少なくとも１つの着信パケットが受信された前記インターフェースを、前記発信パケットフィルタ機能によって識別するステップと、
前記着信パケットが受信された際に経由した同一のインターフェースを経由して前記少なくとも１つの発信パケットを送信するステップと
を含むことを特徴とする方法。
【請求項１０】
前記ＷＴＲＵ上で少なくとも１つのフックを登録するステップをさらに含み、および前記少なくとも１つの着信パケットを識別する前記ステップは、
前記少なくとも１つの着信パケットを受信するとカーネルスペースにおいて前記少なくとも１つのフックを呼び出すステップと、
前記少なくとも１つの着信パケットに対するラベルを前記少なくとも１つのフックによって決定するステップと、
前記少なくとも１つの着信パケットが受信された際に経由した前記インターフェースを、前記少なくとも１つのフックによって識別するステップと、
前記ラベルと、テーブル内の前記インターフェースのＩＤとを、前記少なくとも１つのフックによって関連付けるステップと
を含むことを特徴とする請求項１４に記載の方法。
【請求項１１】
前記少なくとも１つの着信パケットに対する前記ラベルを前記少なくとも１つのフックによって決定する前記ステップは、５タプル指定または６タプル指定のうちの少なくとも１つを前記少なくとも１つの着信パケットに割り当てるステップを含むことを特徴とする請求項１５に記載の方法。
【請求項１２】
前記５タプルの指定は、発信元インターネットプロトコル（ＩＰ）アドレス、送信先ＩＰアドレス、ソースポート番号、送信先ポート番号、またはプロトコルタイプのうちの少なくとも１つを含み、および前記６タプル指定は、発信元ＩＰアドレス、送信先ＩＰアドレス、発信元ポート番号、送信先ポート番号、プロトコルタイプ、またはＩＰフローレベルのうちの少なくとも１つを含むことを特徴とする請求項１６に記載の方法。
【請求項１３】
前記少なくとも１つの着信パケットが受信された前記インターフェースを前記発信パケットフィルタ機能によって識別する前記ステップは、
前記テーブルにアクセスするステップと、
前記少なくとも１つの発信パケットと、前記少なくとも１つの着信パケットの前記ラベルとの間における前記対応を識別するステップと、
前記ラベルに関連付けられる前記インターフェースを選択するステップと
を含むことを特徴とする請求項１５に記載の方法。